(57)【特許請求の範囲】
【請求項１】
拡張現実空間に表示するキャラクターを表すコンテンツオブジェクトと広告オブジェクトとを記憶する記憶部と、
前記コンテンツオブジェクトの指定を受け付ける入力部と、
指定された前記コンテンツオブジェクトとともに前記広告オブジェクトを前記拡張現実空間に配置するオブジェクト管理部と、
前記広告オブジェクトに関連する商品の購買処理を行う購買処理部と、
を備え、
前記オブジェクト管理部は、ユーザから前記商品の購買の要求を受け付けた場合に、前記キャラクターに前記購買上に必要なメッセージをセリフとして出力するように制御すること、
を特徴とする拡張現実システム。
【請求項２】
請求項１に記載の拡張現実システムであって、
前記購買処理部は、前記購買処理に必要な情報を前記拡張現実空間に出力すること、
を特徴とする拡張現実システム。
【発明の詳細な説明】
【技術分野】
【０００１】
本発明は、拡張現実システムに関する。
【背景技術】
【０００２】
拡張現実形態のガイド情報を提供することが行われている（特許文献１参照）。
【先行技術文献】
【特許文献】
【０００３】
【特許文献１】特許第６１００４９６号明細書
【発明の概要】
【発明が解決しようとする課題】
【０００４】
拡張現実形態のガイド情報を用いているときには広告を表示することができない。
【０００５】
本発明は、このような背景を鑑みてなされたものであり、拡張現実空間に広告を提供することができる技術を提供することを目的とする。
【課題を解決するための手段】
【０００６】
上記課題を解決するための本発明の主たる発明は、拡張現実システムであって、拡張現実空間に表示するコンテンツを表すコンテンツオブジェクトと広告情報とを記憶する記憶部と、前記コンテンツオブジェクトの指定を受け付ける入力部と、指定された前記コンテンツオブジェクトとともに前記広告情報を前記拡張現実空間に配置するオブジェクト管理部と、前記広告オブジェクトに関連する商品の購買処理を行う購買処理部と、を備えることを特徴とする。
【０００７】
その他本願が開示する課題やその解決方法については、発明の実施形態の欄及び図面により明らかにされる。
【発明の効果】
【０００８】
本発明によれば、拡張現実空間に広告を提供することができる。
【図面の簡単な説明】
【０００９】
【図１】本実施形態に係る拡張現実システム１の全体構成図である。
【図２】本実施形態に係る拡張現実システム１のシステム構成図である。
【図３】ユーザ端末３が広告を受信するプロセスを示すフローチャートである。
【図４】本実施形態に係る拡張現実システムにおける拡張現実コンテンツの表示に関する説明図である。
【図５】本実施形態に係る拡張現実システムにおける商品購入のプロセスに関する説明図である。
【図６】第２実施形態に係る拡張現実システム１のシステム構成図である。
【発明を実施するための形態】
【００１０】
＜発明の概要＞
本発明の実施形態の内容を列記して説明する。本発明は、たとえば、以下のような構成を備える。
［項目１］
拡張現実空間に表示するコンテンツを表すコンテンツオブジェクトと広告情報とを記憶する記憶部と、
前記コンテンツオブジェクトの指定を受け付ける入力部と、
指定された前記コンテンツオブジェクトとともに前記広告情報を前記拡張現実空間に配置するオブジェクト管理部と、
前記広告オブジェクトに関連する商品の購買処理を行う購買処理部と、
を備えることを特徴とする拡張現実システム。
【００１１】
本発明の実施形態に係る広告提供システムの具体例を、以下に図面を参照しつつ説明する。なお、本発明はこれらの例示に限定されるものではなく、特許請求の範囲によって示され、特許請求の範囲と均等の意味及び範囲内でのすべての変更が含まれることが意図される。以下の説明では、図面の説明において同一の要素には同一の符号を付し、重複する説明を省略する。
【００１２】
図１は、本実施形態に係る拡張現実システム１の全体構成図である。図２は、本実施形態に係る拡張現実システム１のシステム構成図である。拡張現実システム１は、サーバ２を含んで構成され、サーバ２は、インターネット４を介してユーザ端末３と双方向に通信可能に接続される。
【００１３】
サーバ２は、顧客に広告及び広告に関する情報を提供する機能を有しており、主にサーバ通信部２１と、記憶部２２と、広告提供部２３と、決済部２４と、を含んで備えている。
【００１４】
サーバ通信部２１は、顧客の端末等外部機器と通信可能な部分であり、例えば無線通信手段であってもよい。
【００１５】
記憶部２２は、様々な情報が記憶されているデータベースやプログラム等が記憶されている。データベースには、現実拡張に用いられる広告が記憶されている広告ＤＢ２２ａと、ユーザの個人情報が記憶されているユーザDB２２ｂ等が含まれている。
【００１６】
現実拡張に用いられいる広告は、少なくとも飲食店や物販店に関する広告が含まれている。また、広告は、静止画、動画、仮想オブジェクトを含む視覚情報、音声情報、匂い情報、味覚情報、触覚情報等が含まれている。また、各広告には少なくとも１つの情報に紐づけされている。例えば、飲料であるカフェラテの広告には、商品の詳細情報、特徴、値段、発売場所等の情報が紐づけされている。また、これらの情報にはさらに他の広告と紐づけられてもよい。例えば、商品の情報である発売場所には他の商品広告に紐づけても良い。
【００１７】
そして、ユーザDB２２ｂには、ユーザの個人情報以外にも、ユーザの対価支払手段の情報が含まれてもいる。対価支払手段には、例えば、電子マネー、トークン、ポイント等が含まれており、これらは単独でも組合わせてもよい。
【００１８】
広告提供部２３は、広告DB２２ａから広告を抽出し、ユーザ端末３へ送信する機能を備えている。また、広告提供部２３は、ユーザから広告に関する詳細な情報を求められると、要求に応じた情報を提供する機能を備えている。例えば、広告提供部２３は、キーワードを認識する機能を有しており、受信したキーワードに基づき広告ＤＢ２２ａからそのキーワードに関連する情報を抽出してユーザ端末に送信する機能を備えている。また、広告提供部２３がユーザ端末３に広告を送信するトリガは、ランダムでも良いしユーザ状況やユーザ端末状況に応じて送信しても良い。ユーザ状況には、例えば、ユーザの所在地等の周囲環境状況や、ユーザの嗜好・需要等の属性状況等が含まれてもよい。また、ユーザ端末状況には、例えば、後述するユーザ端末３に表示されている仮想キャラクターＯの行動や属性等がある。なお、広告提供部２３は、広告ＤＢ２２ａから情報を抽出しているが、これに限らない。例えば、他の検索エンジンのデータベース（インデックス）にアクセスして情報を抽出してもよい。
【００１９】
決済部２４、決済を行う機能を備えている。例えば、ユーザ端末３から支払の旨を受信すると、決済部２４は、ユーザDB２２ｂへアクセスして、ユーザの対価支払手段が十分か否かを判断する。決済部２４は、ユーザの対価支払手段が十分と判断すると決済を行うことができる。なお、決済部２４は、ユーザの対価支払手段以外にも、クレジットカードやデビットカードによる決済も可能である。
【００２０】
ユーザ端末３は、例えばスマートフォン、タブレットやノートパソコンのような電子端末であってもよく、主に端末通信部３１と、カメラ３２と、入力部３３と、表示部３４と、広告取得部３５、情報出力部３６と、オブジェクト管理部３７と、、対価支払部３８と、を含んで備えている。
【００２１】
端末通信部３１は、外部機器と通信可能な部分であり、例えば無線通信手段である。
【００２２】
カメラ３２は、撮影動作等を行う部分であり、光学像を電気信号に変換するＣＣＤやＣＭＯＳ素子等の撮像素子やシャッターを有している。また静止画のみに限らず動画像をも撮影することができる。
【００２３】
入力部３３は、例えば、タッチパネルやキーボード等のように、ユーザの操作を介して検索したいキーワード（検索語）を入力することができる。また、入力部３３は、手による操作のみならず、例えば音声による入力でもよい。
【００２４】
表示部３４は、例えば液晶モニタであり、各種情報を表示可能である。また、表示部３４は、入力部３３と一体であってもよい。
【００２５】
広告取得部３５は、広告や広告に関する情報をサーバ２から取得する機能を備えている。
【００２６】
情報出力部３６は、  様々な情報やデータを表示部３４に出力させる機能を備えている。また、情報出力部３６は、映像のみならず、音声情報、匂い情報、触覚情報、味覚情報等を出力する機能を備えてもよい。
【００２７】
オブジェクト管理部３７は、例えば、仮想のキャラクターや日常用品等をモチーフにした仮想オブジェクトを生成し、仮想オブジェクトの属性や動作を制御する機能を備えている。また、オブジェクト管理部３７は、仮想オブジェクトが入力部３３と、情報出力部３６と、連動するように制御する機能をも備えている。連動には、例えば、オブジェクト管理部３７は、ユーザによる音声入力があると仮想キャラクターに聞く仕草をさせたり、情報出力部３６により情報を出力する際には仮想キャラクターに話す仕草をさせるよう制御させる等がある。
【００２８】
購買処理３８は、ユーザによる対価の支払う意思を確認する機能と、端末通信部３１を介して決済部２４に支払う旨を送信する機能を備えている。また、購買処理３８は、入力部３３と連結してもよく、そうすることでユーザは、入力部３３を介して支払う意思を入力することができる。
【００２９】
図３は、ユーザ端末３が広告を受信するプロセスを示すフローチャートである。図４は、本実施形態に係る拡張現実システムにおける拡張現実コンテンツの表示に関する説明図である。図５は、本実施形態に係る拡張現実システムにおける商品購入のプロセスに関する説明図である。
【００３０】
まず、ステップＳ１として、ユーザＵは、ユーザ端末３において拡張現実モードを起動させる。拡張現実モードとは、ユーザ端末３のカメラ３２が起動されており、カメラ３２が撮影している周囲の実空間映像Ｐ（現実空間の情報）と、オブジェクト管理部３７が生成している仮想キャラクターＯ（仮想オブジェクト）とが、表示部３４に表示されている状態である。
【００３１】
次にステップＳ２では、ユーザ端末３は、サーバ２から広告を受信すると表示部３４に当該広告を表示させる。詳細には、例えば、ユーザ端末３が広告を受信すると、オブジェクト管理部３７は、仮想キャラクターＯに広告である「カフェラテ」を所持させるように情報出力部３６を介して表示部３４に出力させる。
【００３２】
次にステップ３では、ユーザＵは、仮想キャラクターOに対して「そのカフェラテの特徴は？」と問い合わせる。そうすると、オブジェクト管理部３７は、ユーザによる音声入力に対して仮想キャラクターOに聞いている動作または返事をさせるように制御する。入力部３３は端末通信部３１部を介してサーバ２の広告提供部２３へその旨を送信する。
【００３３】
次に、ステップＳ４では、サーバ２の広告提供部２３は、その旨を受信すると、その旨のキーワードに基づいてカフェラテの特徴に関する情報（例えば、味がクリーミー等）を抽出して、ユーザ端末３へ送信する。
【００３４】
そして、ステップＳ５では、オブジェクト管理部３７は、仮想キャラクターＯに「カフェラテ」の特徴に関する情報を出力させるように制御する。情報出力の方法として、例えば、オブジェクト管理部３７は、仮想キャラクターＯをユーザに対して「とてもクリーミーだよ」と音声出力してもよいし、文字や図をユーザに示すような動作にしてもよい。
【００３５】
そして、ステップＳ６では、ユーザは、仮想キャラクターを介して商品の購入手続を行う。詳細には、例えば、ユーザは、カフェラテを購入する場合には仮想キャラクターＯに向けて「そのカフェラテを買う」と話しかけると、購買処理３８は、そのカフェラテに対する支払う意思を確認するボードｂを出力する。ボードｂは、商品と値段を示す欄と、購入を決定するボタンから構成されており、ユーザは、当該ボタンを押すことで購入手続を行う。そして、購入手続を行うと、購買処理３８は、支払う旨をサーバ２の決済部２４にその旨を送信する。
【００３６】
続いて、ステップＳ７では、サーバ２の決済部２４は、支払う旨を受信すると決済を行い、その後決済した旨をユーザ端末３に送信する。オブジェクト管理部３７は、決済した旨を受信すると、仮想キャラクターＯをユーザに向けて「ＯＫ！買ったよ！」と購買上に必要なメッセージをセリフとして出力して本プロセスは終了する。
【００３７】
このように、本実施形態における広告提供システム１は、ユーザＵに広告に対する関心を高くさせることができ、ユーザＵに広告商品の購買意欲を促す効果がある。
【００３８】
以上で本発明の実施形態の説明を終えるが、本発明の態様はこの実施形態に限定されるものではない。
【００３９】
上記実施形態では、ユーザUが商品を購入を決定する際に、なお、ユーザUは、支払う意思を確認するボードｂのボタン入力しているが限らず、音声入力により購入の決定を行っていも良い。例えば、ユーザUが仮想キャラクターOに向けて「そのカフェラテを買う！」と話しかけると、購買処理３８はそのまま購入手続きを行ってもよい。そうすることで、ユーザUは、手による操作をすることなく広告商品を購入することができる。
【００４０】
また、上記実施形態では、ユーザUは、ユーザ端末３に現実拡張モードを起動してから広告を受信しているがそれに限らない。例えば、ユーザ端末３は、広告を受信してから現実拡張モードを自動的起動させてもよい。詳細には、例えば、ユーザ端末３は、サーバ２からの広告を受信すると、現実拡張モードを起動させる。そしてオブジェクト管理部３７は、仮想キャラクターOをユーザUに広告を受信した旨を伝える等がある。
【００４１】
上記実施形態では、仮想オブジェクトと、広告と、現実空間の環境を映像で表示してあるが、これに限らず音声情報を含んでもよい。
【００４２】
図６は、第２実施形態に係る拡張現実システム１のシステム構成図である。
【００４３】
ユーザ端末３には、さらに、位置測定部３９が設けられている。位置測定部３９は、例えばGPS等衛星測位や近距離無線技術を用いて測位するビーコン等により、ユーザ端末３の位置情報を取得する機能を備えている。また、位置測定部３９は、端末通信部３１を介して位置情報をサーバ２に送信することもできる。
【００４４】
そこで、ユーザ端末３は、サーバ２から広告を受信するとオブジェクト管理部３７は、情報出力部３６を介してユーザに語りかけるように広告に関する情報を出力する。ユーザUは、その広告を聞いてユーザ端末３に「それは何処で買えるの？」と音声入力を行と、ユーザ端末３は、その旨と位置情報をサーバ２へ送信する。
【００４５】
そし後、サーバ２は、その旨のキーワードと位置情報に基づきユーザの所在地の付近にある当該広告商品の販売場所の情報をユーザ端末３送信する。そして、ユーザ端末３は、販売場所の情報を音声として出力させる。このように、ユーザＵは、映像を見ることなく広告に関して知りたい情報を音声で聞くことができる効果を有する。
【００４６】
また、上記実施形態における広告に関する情報は、匂い情報でもよい。例えばは、ユーザ端末３の情報出力部３６には、匂いの素が少なくとも一つ含まれており、情報出力部３６は、１又は複数の匂いの素を放出させることができる。匂いの素は、例えば、フラネオール（イチゴの香り）や１−ヘキサノール（森林の香り）等の単一の化学物質でもよいし、これらを組合わせたものでもよい。また、例えば、化学物質の組成を問わず、ジャスミンの香りと同等の香りを１単位とする匂いでもよい。即ち、情報出力部３６は、例えば、イチゴミルクの匂いを出力方法として、複数の化学物質の組合せによって同等の匂いを出力しても良いし、イチゴの匂いを１単位とする匂いと、ミルクの匂いを１単位とするの匂いとを組合わせて出力してもよい。そこで、例えば、ユーザUが広告商品の匂いが知りたいとユーザ端末３に話しかけると、情報出力部３６は、当該広告商品の匂いを出力する。
【００４７】
また、上記実施形態における広告に関する情報は、味覚情報でもよい。例えば、ユーザ端末３の情報出力部３６には、味覚の素が少なくとも一つが含まれており、情報出力部３６は、１又は複数の味覚の素を放出させることができる。味覚の素は、例えば、イノシン酸やグルタミン酸等の単一の化学物質でも良いし、これらを組合わせたものでもよい。また、例えば、化学物質の組成を問わず、イチゴ味と同等の味を１単位とする味でもよい。即ち、情報出力部３６は、例えば、イチゴチョコレートの味覚情報を出力方法として、複数の化学物質の組合せによって同等の味を出力しても良いし、イチゴ味を１単位とする味と、チョコレート味を１単位とする味とを組合わせて出力してよい。そこで、例えば、ユーザUが広告商品の味が知りたいとユーザ端末３に話しかけると、情報出力部３６は、当該広告商品の味を出力する。
【００４８】
また、上記実施形態における広告に関する情報は、触覚情報でもよい。
【００４９】
また、上記実施形態では、ユーザ端末３は、広告を非連続的で受信しているが、これに限らない。例えば、ユーザ端末３は、ユーザＵの周囲環境が変化するとその周囲環境に関連する広告を自動的に受信可能な図示しない広告更新部を設けてもよい。
【００５０】
例えば、ユーザ端末３に設けられている広告更新部は、ユーザの所在地の変化に応じて広告を更新させる機能を備えており、ユーザＵが移動等所在地が変わるとそれに検知して、広告取得部３５に新しい広告を取得させる機能を備えている。また、広告更新部による広告の更新条件は、ユーザの所在地の変化に限らず、時間帯の変化でもよい。例えば、広告更新部は、特定の時間帯に広告を取得してもよいし、所定の時間間隔で取得してもよい。また、広告更新部は、検索結果に関する広告が更新する度に更新された広告を取得してもよい。また、広告更新部は、広告取得部と一体となってもよい。
【００５１】
また、上記拡張現実モードは、カメラ３２が撮影している周囲の実空間映像Ｐ（現実空間の情報）と、オブジェクト管理部３７が生成している仮想キャラクターＯ（仮想オブジェクト）とが、表示部３４に表示されている状態としているが、これに限らない。例えば、ユーザ端末の位置情報とユーザ端末が向いている方向に基づいて、カメラによって撮影されている周囲の実空間（建物、道路、オブジェクト等）を認識する拡張現実による道案サービス（例えばGoogle map サービスであるLive View）であってもよい。
【００５２】
また、本実施形態では、拡張現実（ＡＲ；Augumented Reality）による仮想空間を想定していたが、これに限らず、仮想現実（ＶＲ；Virtual Reality）空間あるいは複合現実（ＭＲ；Mixed Reality）空間であっても本実施形態の広告提供システムはそのまま適用可能である。
【００５３】
＜第２の実施形態＞
第２の実施形態では、サーバ２の記憶部２２は、広告ＤＢ２２ａに加えてオブジェクトＤＢ２２ｃを備える。
【００５４】
オブジェクトＤＢ２２ｃは、拡張現実空間に配置する仮想オブジェクトのモデル情報（以下、単に仮想オブジェクトともいう。）を記憶する。モデル情報は、例えば、ＵＳＤＺやｇｌＴＦなどの形式のデータとすることができる。
【００５５】
第２の実施形態において、提供部２３は、拡張現実コンテンツを提供する。提供部２３は、例えば、ユーザ端末３からのリクエストに応じて拡張現実コンテンツを提供することができる。リクエストには、キャラクターなどのユーザが閲覧を希望する仮想オブジェクト（以下、コンテンツオブジェクトという。）が指定される。提供部２３は、リクエストに指定されているコンテンツオブジェクトを記憶部２２から読み出し、コンテンツオブジェクトと当該コンテンツオブジェクトを拡張現実空間に配置するためのシーン情報とを含む拡張現実コンテンツをユーザ端末３に応答する。この際に、提供部２３は、広告を表示するための仮想オブジェクト（以下、広告オブジェクトという。）を拡張現実コンテンツに含めてユーザ端末３に応答することができる。提供部２３は、例えば、広告オブジェクトのテクスチャとして、広告画像を貼り付けることができる。
【００５６】
ステップＳ２において、ユーザ端末３が拡張現実コンテンツのリクエストをサーバ２に送信する。リクエストには、ユーザが閲覧したいキャラクタなどの仮想オブジェクトの指定が含まれる。
【００５７】
ステップＳ３において、サーバ２は、リクエストに応じて拡張現実コンテンツを作成する。サーバ２は、例えば、リクエストに指定されたキャラクタ等の仮想オブジェクト（以下、コンテンツオブジェクトという。）に対応するモデル情報をオブジェクトＤＢ２２ｂから読み出して、拡張現実コンテンツを作成すことができる。サーバ２はまた、ユーザからの指定のない、例えば背景のセットや小物等のオブジェクトを広告オブジェクトとして生成し、広告情報を広告オブジェクトのテクスチャに貼付したうえで拡張現実コンテンツに含めることができる。また、サーバ２は、コンテンツオブジェクト及び広告オブジェクトの配置位置や動きなどを指定したシーン情報を拡張現実コンテンツに含めることができる。
【００５８】
ステップＳ４において、ユーザ端末３は、拡張現実コンテンツを受信し、受信した拡張現実コンテンツに基づいて、拡張現実のシーンを作成することができる。
【００５９】
以上のようにして、第２の実施形態に係る拡張現実システムによれば、ユーザが閲覧しようとするコンテンツオブジェクトに付随させて広告オブジェクトを提供することができる。したがって、ユーザが興味を持っているコンテンツオブジェクトと同一の拡張現実空間に広告を配置することができる。
【００６０】
また、第２の実施形態では、ユーザは、第１の実施形態と同様に商品等の購入手続を行うことが可能である。
【００６１】
また、前記購買処理部は、前記購買処理に必要な情報を前記拡張現実空間に出力してもよい。
【００６２】
また、オブジェクト管理部は、ユーザから前記商品の購買の要求を受け付けた場合に、キャラクターに購買書に必要なメッセージをセリフとして出力するように制御すること、
を特徴とする拡張現実システム。
【符号の説明】
【００６３】
１      広告提供システム
２      サーバ
３      ユーザ端末
２１    サーバ通信部      
２２    記憶部
２２ａ  広告ＤＢ
２２ｂ  ユーザＤＢ
２２ｃ  オブジェクトＤＢ
２３    広告提供部
２４    決済部
３１    端末通信部
３２    カメラ
３３    入力部
３４    表示部
３５    広告取得部
３６    情報出力部
３７    オブジェクト管理部
３８    購買処理部
３９    位置測定部   
【要約】
【課題】拡張現実空間に広告を提供することができるようにする。
【解決手段】拡張現実システムであって、拡張現実空間に表示するコンテンツを表すコンテンツオブジェクトと広告情報とを記憶する記憶部と、コンテンツオブジェクトの指定を受け付ける入力部と、指定されたコンテンツオブジェクトとともに広告情報を拡張現実空間に配置するオブジェクト管理部と、広告オブジェクトに関連する商品の購買処理を行う購買処理部と、を備えることを特徴とする。
【選択図】図１【図１】
0006842582.tif 000002
【図２】
0006842582.tif 000003
【図３】
0006842582.tif 000004
【図４】
0006842582.tif 000005
【図５】
0006842582.tif 000006
【図６】
0006842582.tif 000007